(57)【要約】【課題】  工具を使用する必要がなく、オス側はぜ部とメス側はぜ部を嵌合するだけで、簡単に屋根材の接続を行うことができる屋根材又は壁材の接続構造を提供する。【解決手段】  オス側はぜ部は合掌直立部とその先端縁を内側に折り曲げた係止部とにより形成し、合掌直立部には所定長の延出部を形成し、メス側はぜ部は直立部とその先端縁を所定幅に亘り外側に折り返すことで折返し部を形成し、折返し部と直立部との間に空間を形成し、折返し部の先端縁を内側に折り曲げることにより抜止部を形成し、一の方形板状部材のメス側はぜ部に他の方形板状部材のオス側はぜ部を挿入すると、係止部の内外面が空間内に密着状態で嵌合し、係止部が抜け止め状態となり、オス側はぜ部とメス側はぜ部とがワンタッチで接続し得るように構成した。【選択図】  図４
2020023858.tif 000002
【特許請求の範囲】
【請求項１】
方形板状部材の平行な一対の辺の各々にメス側はぜ部及びオス側はぜ部として設けられた屋根材又は壁材の接続構造であって、
一方の辺のオス側はぜ部は、左右の板面を直立に立ち上げることにより２枚の板面が合掌状態の合掌直立部が形成されると共に、合掌直立部の先端縁を内側に折り曲げることにより係止部が形成され、
かつ上記合掌直立部の外側端縁は上記方形板状部材の板面と平行な所定長の延出部が形成され、
他方の辺のメス側はぜ部は、上記方形板状部材の上記辺の端縁が直角に折り曲げられて直立部が形成されると共に、その先端縁が所定幅に亘り外側に折り返されることにより折返し部が形成され、これにより上記折返し部と上記直立部との間に空間が形成され、
さらに、上記折返し部の先端縁が内側に折り曲げられることにより上記空間内に抜止部が形成され、
一の上記方形板状部材のメス側はぜ部に他の上記方形板状部材のオス側はぜ部を挿入することにより、他の上記方形板状部材の上記オス側はぜ部の上記係止部の内外面が、一の上記方形板状部材の上記メス側はぜ部の上記空間内に密着状態に嵌合されると共に、上記係止部が上記抜止部によって抜け止め状態とされることにより、上記オス側はぜ部と上記メス側はぜ部とが接続されるものである屋根材又は壁材の接続構造。
【請求項２】
上記メス側はぜ部の長さ方向に直交する上記空間の幅は、上記オス側はぜ部の上記係止部の長さ方向に直交する幅と略同一となるように構成されているものである請求項１記載の屋根材又は壁材の接続構造。
【請求項３】
上記メス側はぜ部の抜止部の内面と上記直立部の外面との間の長さ方向に直交する幅は、上記オス側はぜ部の上記合掌直立部の長さ方向に直交する幅と略同一の幅に構成されているものである請求項１又は２記載の屋根材又は壁材の接続構造。
【請求項４】
上記メス側はぜ部の上記空間の上下方向幅は、上記オス側はぜ部の上記係止部の上下方向幅と略同一、又は、上記係止部の上下方向幅より若干長く形成されたものである請求項１〜３の何れかに記載の屋根材又は壁材の接続構造。
【請求項５】
上記オス側はぜ部の上記延出部は、上記方形板状部材の板面の位置より下側に位置するように構成されており、
上記延出部の上面側から接続部材により、屋根又は壁の被取付部材に固定するものである請求項１〜４の何れかに記載の屋根材又は壁材の接続構造。
【発明の詳細な説明】
【技術分野】
【０００１】
本発明は、簡単に接続が可能であり、接続後に接続部の加工を必要としない屋根材又は壁材の接続構造に関するものである。
【背景技術】
【０００２】
従来、屋根材として使用されているものは、方形の板状のもので、一辺にオスのはぜ部が設けられ、上記一辺に平行な他辺にメスのはぜ部が設けられ、これらの屋根材を屋根上に並列することで、上記オスのはぜ部とメスのはぜ部を隣接し、一の屋根材の上記オスのはぜ部に吊り子を接続すると共に、該オスのはぜ部にはぜシール材を被せた後、上記吊り子及びオスのはぜ部の上からメスのはぜ部を嵌合し、上記メスのはぜ部の左右の両側から、はぜ折り工具等を使用して嵌合部を対向方向に押し付けることにより、一の屋根材と他の屋根材とを接続していた（特許文献１）。
【先行技術文献】
【特許文献】
【０００３】
【特許文献１】特開２００４−１６９４１９号公報
【発明の概要】
【発明が解決しようとする課題】
【０００４】
ところで、上記従来の屋根材は、オスのはぜ部とメスのはぜ部を嵌合接続した後、はぜ折り工具等で、嵌合部を左右から押しつぶす作業が必要であるため、専用の工具を必要とするし、広範囲の屋根に多数の屋根材を接続する作業は多くの手間を要していた。
【０００５】
しかも、オスのはぜ部とメスのはぜ部の嵌合部に野地板との接続を行うための別部品の吊り子を挿入係合する必要があるし、また嵌合部からの水の進入を防ぐため、両はぜ部の間にシール材を装着する必要があり、屋根材としての部品点数が多く、全体として作業工程が多いため、広範囲に多数の屋根材を敷設して、多数のはぜ部にて屋根材同士を接続する作業は多くの手間と時間を要していた。
【０００６】
本発明は、上記従来の課題に鑑みてなされたものであり、はぜ折り工具を使用する必要がなく、オス側はぜ部とメス側はぜ部を嵌合するだけで、簡単に屋根材の接続作業を行うことができる屋根材の接続構造を提供することを目的とする。
【０００７】
また、本発明は同一構造で、壁材としても使用することのできる壁材の接続構造を提供することを目的とする。
【課題を解決するための手段】
【０００８】
上記の目的を達成するため本発明は、
第１に、方形板状部材の平行な一対の辺の各々にメス側はぜ部及びオス側はぜ部として設けられた屋根材又は壁材の接続構造であって、一方の辺のオス側はぜ部は、左右の板面を直立に立ち上げることにより２枚の板面が合掌状態の合掌直立部が形成されると共に、合掌直立部の先端縁を内側に折り曲げることにより係止部が形成され、かつ上記合掌直立部の外側端縁は上記方形板状部材の板面と平行な所定幅の延出部が形成され、他方の辺のメス側はぜ部は、上記方形板状部材の上記辺の端縁が直角に折り曲げられて直立部が形成されると共に、その先端縁が所定幅に亘り外側に折り返されることにより折返し部が形成され、これにより上記折返し部と上記直立部との間に空間が形成され、さらに、上記折返し部の先端縁が内側に折り曲げられることにより上記空間内に抜止部が形成され、一の上記方形板状部材のメス側はぜ部に他の上記方形板状部材のオス側はぜ部を挿入することにより、他の上記方形板状部材の上記オス側はぜ部の上記係止部の内外面が、一の上記方形板状部材の上記メス側はぜ部の上記空間内に密着状態に嵌合されると共に、上記係止部が上記抜止部によって抜け止め状態とされることにより、上記オス側はぜ部と上記メス側はぜ部とが接続されるものである屋根材又は壁材の接続構造により構成される。
【０００９】
このように構成すると、他の方形板状部材のオス側はぜ部と一の方形板状部材のメス側はぜ部との嵌合接続をワンタッチで行うことができ、嵌合接続後に接続部の加工が必要ないので、効率的に方形板状部材同士の接続を行うことができる。しかも係止部がメス側はぜ部の空間内に密着状態で嵌合するので、両はぜ部の嵌合接続部間にシール材を使用する必要がない。
【００１０】
第２に、上記メス側はぜ部の長さ方向に直交する上記空間の幅は、上記オス側はぜ部の上記係止部の長さ方向に直交する幅と略同一となるように構成されているものである上記第１記載の屋根材又は壁材の接続構造により構成される。
【００１１】
従って、上記オス側はぜ部の上記係止部を上記空間に嵌合挿入すると、上記係止部の内面と外面が上記空間の両内部対向面に密着状態となるため、雨等により方形板状部材上に降り注ぐ水分が、上記空間内に進入することを防止することができる。
【００１２】
第３に、上記メス側はぜ部の上記抜止部の内面と上記直立部の外面との間の長さ方向に直交する幅は、上記オス側はぜ部の上記合掌直立部の長さ方向の直交する幅と略同一の幅に構成されているものである上記第１又は２記載の屋根材又は壁材の接続構造により構成される。
【００１３】
従って、上記オス側はぜ部と上記メス側はぜ部とを嵌合接続すると、上記抜止部の内面と上記合掌直立部の内面とが密着するため、雨等の水分が上記空間内に進入することを防止することができる。また、上記合掌直立部の外面と上記直立部の外面とが密着するため、仮に雨等の水分が空間内に進入したとしても、上記水分が両はぜ部の接合部（合掌直立部の外面と直立部の外面の接合部）から下方に流出することはない。
【００１４】
第４に、上記メス側はぜ部の上記空間の上下方向幅は、上記オス側はぜ部の上記係止部の上下方向幅と略同一、又は、上記係止部の上下方向幅より若干長く形成されたものである上記第１〜３の何れかに記載の屋根材又は壁材の接続構造により構成される。
【００１５】
従って、上記係止部を上記空間内に嵌合挿入すると、上記空間内の上下方向幅内に上記係止部が略隙間なく嵌合するので、シール材を用いることなく水の空間内への進入を防止することができる。
【００１６】
第５に、上記オス側はぜ部の上記延出部は、上記方形板状部材の板面の位置より下側に位置するように構成されており、上記延出部の上面側から接続部材により、屋根又は壁の被取付部材に上記延出部が固定されるものである上記第１〜４の何れかに記載の屋根材又は壁材の接続構造により構成される。
【００１７】
上記接続部材は釘（１０）、螺子釘（１０）等である。屋根又は壁等の被取付部材は例えば屋根材であれば野地板（１１）である。このようにすると、所謂吊り子を使用することなく、方形板状部材を野地板等の被取付部材に接続することができる。
【発明の効果】
【００１８】
本発明は上述のように、一の方形板状部材のオス側はぜ部と他の方形板状部材のメス側はぜ部との嵌合接続をワンタッチで行うことができ、嵌合接続後に接続部の加工が必要ないので、効率的に方形板状部材同士の接続を行うことができ、しかも係止部がメス側はぜ部の空間内に密着状態で嵌合するので、両はぜ部の嵌合接続部間にシール材を使用する必要もない。よって、屋根材又は壁材の接続をワンタッチかつ効率的に行うことができる。
【００１９】
また、オス側はぜ部の係止部を空間に嵌合挿入すると、該係止部の内面と外面が上記空間の両内部対向面に密着状態となるため、雨等により方形板状部材上に降り注ぐ水分が、上記空間内に進入することを、シール材等を用いることなく、効果的に防止することができる。
【００２０】
また、オス側はぜ部とメス側はぜ部とを嵌合接続すると、抜止部の内面と合掌直立部の内面とが密着するため、雨等の水分が上記空間内に進入することを、シール材を用いることなく効果的に防止することができる。また、合掌直立部の外面と直立部の外面とが密着するため、仮に雨等の水分が空間内に進入したとしても、上記水分が両はぜ部の接合部から下方に流出することはない。
【００２１】
また、係止部を空間内に嵌合挿入すると、上記空間内の上下方向幅内に上記係止部が略隙間なく嵌合するので、シール材を用いることなく水の進入を効果的に防止することができる。
【００２２】
また、所謂吊り子を使用することなく、方形板状部材を野地板等の被取付部材に確実に接続することができる。
【図面の簡単な説明】
【００２３】
【図１】本発明に係る屋根材又は壁材の接続構造を示す屋根材又は壁材の斜視図である。
【図２】（ａ）は同上屋根材又は壁材の側面図、（ｂ）は同上屋根材又は壁材の一部省略拡大側面図である。
【図３】（ａ）は同上屋根材又は壁材のオス側はぜ部とメス側はぜ部とを接続する前の状態の側面図、（ｂ）は同上屋根材又は壁材のオス側はぜ部とメス側はぜ部とを接続した状態の側面図である。
【図４】同上屋根材又は壁材のオス側はぜ部とメス側はぜ部とを接続する前の状態の斜視図である。
【図５】（ａ）は同上屋根材又は壁材のオス側はぜ部とメス側はぜ部とを接続する前の状態の拡大側面図、（ｂ）は同上屋根材又は壁材のオス側はぜ部とメス側はぜ部とを接続した状態の拡大側面図である。
【図６】同上屋根材を屋根の野地板上に敷設した状態の側面断面図である。
【図７】同上屋根材を屋根に敷設する状況を示す一部断面斜視図である。
【発明を実施するための形態】
【００２４】
以下、本発明に係る屋根材又は壁材の接続構造について詳細に説明する。
【００２５】
図１に示すように、本発明は、方形板状部材１の平行な一対の辺１ａ，１ｂの各々に、メス側はぜ部２及びオス側はぜ部３として設けられた屋根材又は壁材の接続構造により構成される。上記方形板状部材１のメス側はぜ部２とオス側はぜ部３との間隔（図２の幅ｔ６）は例えば３３０ｍｍ、はぜ部側の長さ（辺１ａ，１ｂの長さ）は例えば８００ｍｍ等であり、屋根等の大きさによって各種の長さとすることができる。この方形板状部材１の厚さは例えば０．４ｍｍであり、材質としては例えば「溶融５５％アルミニウム−亜鉛合金めっき鋼板」等を使用することができる。
【００２６】
尚、以下の説明において、図１の方形板状部材１において、辺１ａ，１ｂから見て板面１’（表面１’）の方向を「内側」、板面１’（表面１’）とは反対方向を「外側」という。また、図１等に示す上記オス側はぜ部３と上記メス側はぜ部２を有する方形板状部材１を屋根材又は壁材という。また、上記辺１ａ，１ｂに沿う方向を「長さ」、「長さ方向」といい、辺１ａ，１ｂに直交する方向を「幅」、「幅方向」、幅方向に直交する上下方向を「上下」、「上下方向」といい、上下方向の長さ(距離)も「幅」という表現を使用する。
【００２７】
以下に説明する実施形態としては屋根材としての方形板状部材１を説明するが、取り付け対象が屋根か壁かの相違であって、方形板状部材１の接続構造としては屋根材であっても壁材であっても変わりはない。
【００２８】
屋根材としての上記方形板状部材１の一方の辺１ａのメス側はぜ部２は、方形板状部材１の上記辺１ａの端縁が、上記辺１ａの全長に亘り、上記方形板状部材１の表面１’側に、直角に折り曲げられて直立部４が形成されると共に、その先端縁の所定幅が直立部４の全長に亘り、後述のオス側はぜ部３の係止部９の折り曲げ頂部９’の曲率半径に比べて、曲率半径の大きな円弧の折曲部５を以って１８０度外側に折り返されて折返し部６が形成され（図５（ａ）参照）、これにより上記折返し部６と上記直立部４との間に、辺１ａに沿う、細長い空間Ｓ（幅ｔ２、図４、図５（ａ）参照）が形成されるように構成されている。
【００２９】
加えて、上記折返し部６の先端縁が、上記折返し部６の全長に亘り、内側にさらに折り曲げられることにより、上記空間Ｓ内に上記空間Ｓの全長に亘り、抜止部７が形成されている。
【００３０】
また、他方の辺１ｂのオス側はぜ部３は、上記方形板状部材１の表面１’側の内外の板面８ａ（内面），８ｂ（外面）を、上記辺１ｂの全長に亘り、板面１’（裏面１”側）を合掌状態で立ち上げることにより、２枚の板面８ａ，８ｂの板面１’（裏面１”側）が合掌した状態の合掌直立部８が形成されると共に、上記合掌直立部８の先端縁を、該合掌直立部８の全長に亘り、内側に折り曲げることにより、合掌直立部８の全長に亘る係止部９が形成されている（図４、図５（ａ）参照）。
【００３１】
そして、上記合掌直立部８の外側（板面８ｂ側）の端縁は、上記合掌直立部８の全長に亘り、上記方形板状部材１の板面（表面１’）と平行な所定幅（例えばｔ１＝約２０ｍｍ）（図１参照）の延出部８ｃが形成されている。
【００３２】
上記構成により、図３（ａ）に示すように、一の上記方形板状部材１（これを方形板状部材１Ａとする）の上記オス側はぜ部３の上記係止部９が、同一構成の他の上記方形板状部材１（これを方形板状部材１Ｂとする）の上記メス側はぜ部２の上記空間Ｓ内に挿入されることにより、上記オス側はぜ部３の上記係止部９と上記メス側はぜ部２の上記抜止部７が上下に隣接して嵌合対向配置されることにより、上記オス側はぜ部３と上記メス側はぜ部２が抜け止め状態に接続し得るように構成されている（図３（ｂ）、図５（ｂ）参照）。
【００３３】
より具体的には、図５（ａ）に示すように、上記メス側はぜ部２の長さ方向に直交する上記空間Ｓの幅ｔ２は、上記オス側はぜ部３の上記係止部９の長さ方向に直交する幅ｔ２’と略同一となるように構成されている。
【００３４】
また、上記メス側はぜ部２の抜止部７の内面７ａと上記直立部４の外面４ａ間の長さ方向に直交する幅ｔ４は、上記オス側はぜ部３の上記係止部９の上記横幅ｔ２’より小（ｔ２’＞ｔ４）となるように構成されている。
【００３５】
従って、図５（ｂ）に示すように、上記オス側はぜ部３を上記メス側はぜ部２の上記空間Ｓ内に嵌合挿入すると、上記係止部９が上記メス側はぜ部２の上記横幅ｔ４を通る際、上記折返し部６の弾性により上記横幅ｔ４が若干拡大されて上記折返し部６が外側に若干傾斜つつ、上記係止部９が上記空間Ｓ内に位置すると、上記折返し部６がその弾性復帰力によりもとの位置（横幅ｔ４の位置）まで復帰することで、上記空間Ｓ内に上記係止部９が密着状態で嵌合する（図５（ｂ）参照）。
【００３６】
即ち、上記抜止部９の内面９ａが上記空間Ｓの内部対向面Ｓａに、空間Ｓの全長に亘り密着し、上記抜止部９の外面９ｂが上記空間Ｓの内部対向面Ｓｂに、空間Ｓの全長に亘り密着する。これにより図５（ｂ）の嵌合状態においては、外部（特に、図５（ｂ）の接合部ｐ、即ち内面７ａと板面８ａの接合部ｐ）からの上記メス側はぜ部２の上記空間Ｓ内への水の進入が阻止され、上記メス側はぜ部２の内部（空間Ｓ内）において、オス側はぜ部３の係止部９と、メス側はぜ部２の空間Ｓ内面との間に、シール材等の止水材を使用する必要がない。
【００３７】
さらに、上記メス側はぜ部２の上記空間Ｓの上下方向幅ｔ３は、上記オス側はぜ部３の係止部９の上下方向幅ｔ３’と略同一、又は、上記係止部９の上下方向幅ｔ３’より若干長く（例えば１ｍｍ〜４ｍｍ程度長く）形成されている。このように構成することにより、上記係止部９を上記メス側はぜ部２の上記空間Ｓ内に嵌合挿入したとき、上記空間Ｓ内において、上記係止部９との間に余分な隙間が発生せず、略隙間なく嵌合し、従って、上記空間Ｓ内に水が進入する隙間を極力無くすことができる。
【００３８】
加えて、上記メス側はぜ部２の抜止部７の内面７ａと上記直立部４の外面４ａ間の長さ方向に直交する幅ｔ４（＜ｔ２’）は、上記オス側の合掌直立部８の長さ方向に直交する幅ｔ４’と略同一となるように構成されている。従って、上記メス側はぜ部２の上記空間Ｓ内に上記オス側はぜ部３の上記係止部９を嵌合挿入したとき、上記抜止部７の内面７ａと上記板面８ａがオス側はぜ部３及びメス側はぜ部２の全長に亘って密着し、上記直立部４の外面４ａに上記板面８ｂが、上記オス側はぜ部３及び上記メス側はぜ部２の全長に亘って密着し（図５（ｂ）参照）、これにより図５（ｂ）の嵌合状態において、外部から上記メス側はぜ部２の上記抜止部７と、上記オス側はぜ部３の上記板面８ａとの接合部ｐから空間Ｓ方向に水が進入することを効果的に阻止することができる。
【００３９】
また、上述のようにオス側はぜ部３の板面８ｂと、上記メス側はぜ部２の直立部４の外面４ａが、両はぜ部２，３の全長に亘って密着しているので、仮に空間Ｓ内に水が存在しても、上記板面８ｂと上記外面４ａの接合部間（接合部ｒ、図５（ｂ）参照）から矢印ｑ方向に水が流出することはないので、屋根材の下側の野地板１１又は壁内装材等に水漏れ等の悪影響を与えることはない。
【００４０】
また、上記オス側はぜ部３の上記延出部８ｃは、上記方形板状部材１の表面１’の位置より若干下側（図５（ａ）の上下幅ｔ５＝０．５ｍｍ〜４ｍｍ）に位置するように構成されており、図６に示すように、裏面断熱材１２の下側に位置し、延出部８ｃの上面側から釘１０又は螺子釘１０等の接続部材により、屋根の野地板１１又は壁の内装材等の被取付部材に、方形板状部材１を固定し得るように構成されている。
【００４１】
上記メス側はぜ部２の上記抜止部７は（図５（ａ）参照）、折返し部６の端縁の所定幅を一旦１８０度まで内側方向に折り曲げ、その二重の折り曲げ部分を再度１８０度内側方向に折り曲げることにより構成されており、長さ方向と直交する幅方向に見ると、３枚の板面が重なり合った形状となっている（図５（ａ）参照）。
【００４２】
上記オス側はぜ部３の上記係止部９は、合掌直立部８の端縁を、２枚重なった状態で、内側方向に１８０度折り曲げることにより形成されている。よって、長さ方向に直交する幅方向にみると、４枚の板面が重なり合った形状となっており（図５（ａ）参照）、上記抜止部７より、上記方形板状部材の１枚の幅分、幅広（抜止部９の幅ｔ２’＞ｔ４）に形成されている。
【００４３】
上記延出部８ｃは図４に示すように、板面に断面が下側に頂部を有する三角形となる上記辺１ｂに平行な係止溝１３が延出部８ｃの全長に亘り形成されており、その端縁は上側に１８０度折り曲げることにより、折曲部１４が上記延出部８ｃの全長に亘り形成されている。上記係止溝１３は例えば屋根材として使用する場合に、下側に位置する防水シート１５に食い込ませることにより方形板状部材１の位置決めを行うためのものである（図６参照）。
【００４４】
本発明は上述のように構成されるので、次に、本発明に係る屋根材の接続構造を、方形板状部材１を屋根材として使用する場合において説明する。
【００４５】
図７、図６に示すように、本考案に係る方形板状部材１を屋根材として使用する場合、屋根としては、棟包み板１６の両側に下向きに傾斜した野地板１１，１１を設け、該野地板１１，１１の上に本発明に係る方形板状部材１を、上記はぜ部２，３が傾斜方向に位置するように並べ、オス側はぜ部３にメス側はぜ部２を嵌合挿入していくことで、上記野地板１１，１１の上を当該屋根材にて被覆していく。
【００４６】
より具体的には、建物の壁１７上に棟包み板１６から傾斜するように野地板１１を設置し、野地板１１の端部（内側）は、母屋１８にて建物の壁１７と接続される。また、上記野地板１１の長手方向の端部（外側）は、接続部材１９にて上記壁１７と接続される。
【００４７】
上記野地板１１の上には全面に防水シート（例えばアスファルトルーフィング等）１５が敷設され、防水シート１５の上側であって、方形板状部材１の延出部８ｃを除く横幅ｔ６と同一の横幅の裏面断熱材１２（図２（ｂ）参照）を敷設する。このとき、図６に示すように、裏面断熱材１２を敷設した上に、丁度、裏面断熱材１２の上に上記方形板状部材１の上記横幅ｔ６の部分が合うように当該方形板状部材１を載置し、その延出部８ｃにおいて、その上面側から釘１０を上記野地板１１に打ち込み、当該延出部８ｃ、従って、上記方形板状部材１を上記裏面断熱材１２（上記野地板１１）上に固定する。上記釘１０の打ち込みは、上記延出部８ｃの長手方向において、所定間隔毎に行われる（図１矢印Ａの位置参照）。尚、上記裏面断熱材１２は上記方形板状部材１の裏面１”に予め接着しておいても良い。上記裏面断熱材１２としては、シート状のポリオレフィンフォーム断熱材を使用することができる。
【００４８】
その後、図６に示すように、方形板状部材１の上記延出部８ｃの上側に重なるように、他の裏面断熱材１２を敷設し、当該裏面断熱材１２の上側から、隣接する方形板状部材１を敷設する。
【００４９】
このとき、図５、図６に示すように、隣接する方形板状部材１，１の接続は、一の方形板状部材１のオス側はぜ部３に、隣接する方形板状部材１のメス側はぜ部２を上側から嵌合挿入するだけで良い。
【００５０】
上記オス側はぜ部３にその上側から上記メス側はぜ部２を嵌合すると、まず上記オス側はぜ部３の係止部９が上記メス側はぜ部２の上記抜止部７をその弾性により若干外側に倒しながら（幅ｔ４を若干広げながら、ｔ２’＞ｔ４）、上記オス側はぜ部３の係止部９が上記メス側はぜ部２の空間Ｓ内に完全に嵌合挿入されると、同時に上記抜止部７（折返し部６）がもとの位置に弾性復帰し、これにより上記係止部９の内面９ａと上記空間の内部対向面Ｓａが空間Ｓの全長に亘って密着し、上記係止部９の外面９ｂと上記空間の内部対向面Ｓｂとが上記空間Ｓの全長に亘って密着して、上記係止部９が上記空間Ｓ内において、当該空間Ｓの全長に亘って密着状態で、嵌合する（図５（ｂ）、図６参照）。
【００５１】
このように、オス側はぜ部３とメス側はぜ部２の接続は、ワンタッチで行うことができ、接続後はメス側はぜ部２内において、オス側はぜ部３（係止部９及び抜止部７の位置における合掌直立部８）が、両はぜ部２，３の全長に亘り、密着状態で嵌合するので、両はぜ部２，３間の接続部（接触部）に、止水用のシール材等を介挿する必要がなく、しかも、両者を嵌合接続後に、他の工具を使用して接続部を別途加工する必要もない。即ち、シール材等を使用しなくても、接合部ｐから上記空間Ｓ内部に水が進入することはない。
【００５２】
また、本発明の屋根材の接続構造では、一工程で、方形板状部材１，１同士を接続して行くことができるため、極めて効率的に屋根材の接続を行うことができる。
【００５３】
また、同時に、上記オス側はぜ部３の合掌直立部８の板面８ａが上記メス側はぜ部２の抜止部７の内面７ａに、当該抜止部７の全長に亘って密着すると共に、上記合掌直立部８の板面８ｂが上記直立部４の外面４ａに、合掌直立部８の全長に亘って密着状態となる（図５（ｂ）参照）。
【００５４】
従って、仮に、空間Ｓ内に水分が存在したとしても、当該水分は上記板面８ｂと外面４ａ間を通って下方の接合部ｒから矢印ｑ方向に流れ出ることはなく、従って、雨等により、方形板状部材１の外側の水分が、両はぜ部２，３の接合部の内部（空間Ｓ内）を通って、上記接合部ｒから下方（裏面断熱材１２方向）に流出することはない。
【００５５】
その後は、同様に、上記方形板状部材１の延出部８ｃと上記野地板１１とを釘１０にて結合し、延出板８ｃの上に裏面断熱材１２を敷設した上で、次に隣接する方形板状部材１を敷設し、固定した上記方形板状部材１のオス側はぜ部３に、次の方形板状部材１のメス側はぜ部２を同様に順次嵌合挿入していけば良い。
【００５６】
上記実施形態では本発明の方形板状部材１を屋根材として使用した場合を説明したが、上記方形板状部材１を壁材として使用する場合においても、その接続構造は同様であり、垂直の壁面の内装材に対して、方形板状部材１を上記オス側はぜ部３、メス側はぜ部２が横方向又は縦方向となる向きで、延出部８ｃの上面から壁の内装材に釘１０で固定しながら、上記オス側はぜ部２に上記メス側はぜ部３を嵌合挿入して行けば良い。この場合においても、屋根材と同様に、止水用のシール材を必要とせず、接続部の嵌合はワンタッチで行うことができ、非常に効率的に壁材を取り付けることができる。
【００５７】
本発明は以上のように、一の方形板状部材１のオス側はぜ部３と他の方形板状部材１のメス側はぜ部２との嵌合接続をワンタッチ（ワンアクション、一工程）で行うことができ、嵌合接続後に接続部の加工を必要としないので、非常に効率的に方形板状部材１（屋根材又は壁材）の接続を行うことができ、しかもオス側の係止部９がメス側はぜ部２の空間Ｓ内に密着状態で嵌合するので、両はぜ部２，３の嵌合接続部間にシール材を使用する必要もない。よって、屋根材又は壁材の接続（取り付け）をワンタッチで極めて効率的に行うことができる。
【００５８】
また、オス側はぜ部３の係止部９を空間Ｓに嵌合挿入すると、係止部９の内面９ａと外面９ｂが，上記空間Ｓの両内部対向面（Ｓａ，Ｓｂ）に密着状態となるため、雨等により方形板状部材１上に降り注ぐ水分が、上記空間Ｓ内に進入することを、シール材等を用いることなく、効果的に防止することができる。
【００５９】
また、オス側はぜ部３とメス側はぜ部２とを嵌合接続すると、抜止部７の内面７ａと合掌直立部８の板面８ａとが密着するため、雨等の水分が上記空間Ｓ内に進入することを、シール材を用いることなく効果的に防止することができる。また、合掌直立部８の板面８ｂと直立部４の外面４ａとが密着するため、仮に雨、結露等の水分が空間Ｓ内に進入発生したとしても、上記水分が両はぜ部２，３の接合部ｒから下方に流出することはなく、シール材等を使用することなく、防水性を高めることができる。
【００６０】
また、係止部９を空間Ｓ内に嵌合挿入すると、上記空間Ｓ内の上下方向幅ｔ３内に上記オス側の係止部９が略隙間なく嵌合するので、シール材を用いることなく両はぜ部２，３間への、水の進入を効果的に防止することができる。
【００６１】
また、屋根材又は壁材としての方形板状部材１を被取付部材に固定するにあたり、所謂吊り子を使用する必要がなく、方形板状部材１を野地板１１等の被取付部材に確実に接続することができる。
【００６２】
上記実施形態において、方形板状部材１の板面１’は平面（図１等参照）のものを示したが、当該板面１’は平面に限らず、辺１ａ，１ｂに平行なに複数のリブを設けたもの、辺１ａ，１ｂに平行な頂部を有する複数の波状に形成されたもの等各種の形状とすることができる。
【００６３】
尚、図７において、１６’は棟包み板金、２０は棟包み板１６と方形板状部材１間に接続固定されるエプロンメンドである。
【産業上の利用可能性】
【００６４】
本発明に係る屋根材又は壁材の接続構造によれば、シール材等を使用することなく、屋根材又は壁材をワンタッチで嵌合接続することができるため、屋根材又は壁材同士の接続を極めて簡単かつ効率的に行うことができる。
【符号の説明】
【００６５】
１              方形板状部材
１’            板面
１ａ，１ｂ      辺
２              メス側はぜ部
３              オス側はぜ部
４              直立部
４ａ            外面
６              折返し部
７              抜止部
７ａ            内面
８              合掌直立部
８ａ，８ｂ      板面
８ｃ            延出部
９              係止部
９ａ            内面
９ｂ            外面
１０            釘（接続部材）
１１            野地板（被取付部材）
Ｓ              空間
ｔ２            幅（空間Ｓ）
ｔ２’          幅（係止部９）
ｔ３            上下方向幅（空間Ｓ）
ｔ３’          上下方向幅（係止部９）
ｔ４            幅
ｔ４’          幅（合掌直立部８）
【図１】
2020023858.tif 000003
【図２】
2020023858.tif 000004
【図３】
2020023858.tif 000005
【図４】
2020023858.tif 000006
【図５】
2020023858.tif 000007
【図６】
2020023858.tif 000008
【図７】
2020023858.tif 000009
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
方形板状部材の平行な一対の辺の各々にメス側はぜ部及びオス側はぜ部として設けられた屋根材又は壁材の接続構造であって、
一方の辺のオス側はぜ部は、左右の板面を直立に立ち上げることにより２枚の板面が合掌状態の合掌直立部が形成されると共に、合掌直立部の先端縁を内側に折り曲げることにより係止部が形成され、
かつ上記合掌直立部の外側端縁は上記方形板状部材の板面と平行な所定長の延出部が形成され、
他方の辺のメス側はぜ部は、上記方形板状部材の上記辺の端縁が直角に折り曲げられて直立部が形成されると共に、その先端縁が所定幅に亘り外側に折り返されることにより折返し部が形成され、これにより上記折返し部と上記直立部との間に空間が形成され、
さらに、上記折返し部の先端縁が内側に折り曲げられることにより上記空間内に抜止部が形成され、
上記メス側はぜ部の長さ方向に直交する上記空間の幅は、上記オス側はぜ部の上記係止部の長さ方向に直交する幅と略同一となるように構成されており、一の上記方形板状部材のメス側はぜ部に他の上記方形板状部材のオス側はぜ部を挿入することにより、他の上記方形板状部材の上記オス側はぜ部の上記係止部の内外面が、一の上記方形板状部材の上記メス側はぜ部の上記空間内に密着状態に嵌合されると共に、上記係止部が上記抜止部によって抜け止め状態とされることにより、上記オス側はぜ部と上記メス側はぜ部とが接続されるものであり、
かつ、上記メス側はぜ部の抜止部の内面と上記直立部の外面との間の長さ方向に直交する幅は、上記オス側はぜ部の上記合掌直立部の長さ方向に直交する幅と略同一の幅に構成されたものである屋根材又は壁材の接続構造。
【請求項２】
上記メス側はぜ部の上記空間の上下方向幅は、上記オス側はぜ部の上記係止部の上下方向幅と略同一、又は、上記係止部の上下方向幅より若干長く形成されたものである請求項１に記載の屋根材又は壁材の接続構造。
【請求項３】
上記オス側はぜ部の上記延出部は、上記方形板状部材の板面の位置より下側に位置するように構成されており、
上記延出部の上面側から接続部材により、屋根又は壁の被取付部材に固定するものである請求項１又は２記載の屋根材又は壁材の接続構造。
【手続補正２】
【補正対象書類名】明細書
【補正対象項目名】０００８
【補正方法】変更
【補正の内容】
【０００８】
上記の目的を達成するため本発明は、
第１に、方形板状部材の平行な一対の辺の各々にメス側はぜ部及びオス側はぜ部として設けられた屋根材又は壁材の接続構造であって、一方の辺のオス側はぜ部は、左右の板面を直立に立ち上げることにより２枚の板面が合掌状態の合掌直立部が形成されると共に、合掌直立部の先端縁を内側に折り曲げることにより係止部が形成され、かつ上記合掌直立部の外側端縁は上記方形板状部材の板面と平行な所定長の延出部が形成され、他方の辺のメス側はぜ部は、上記方形板状部材の上記辺の端縁が直角に折り曲げられて直立部が形成されると共に、その先端縁が所定幅に亘り外側に折り返されることにより折返し部が形成され、これにより上記折返し部と上記直立部との間に空間が形成され、さらに、上記折返し部の先端縁が内側に折り曲げられることにより上記空間内に抜止部が形成され、上記メス側はぜ部の長さ方向に直交する上記空間の幅は、上記オス側はぜ部の上記係止部の長さ方向に直交する幅と略同一となるように構成されており、一の上記方形板状部材のメス側はぜ部に他の上記方形板状部材のオス側はぜ部を挿入することにより、他の上記方形板状部材の上記オス側はぜ部の上記係止部の内外面が、一の上記方形板状部材の上記メス側はぜ部の上記空間内に密着状態に嵌合されると共に、上記係止部が上記抜止部によって抜け止め状態とされることにより、上記オス側はぜ部と上記メス側はぜ部とが接続されるものであり、かつ、上記メス側はぜ部の抜止部の内面と上記直立部の外面との間の長さ方向に直交する幅は、上記オス側はぜ部の上記合掌直立部の長さ方向に直交する幅と略同一の幅に構成されたものである屋根材又は壁材の接続構造により構成される。
【手続補正３】
【補正対象書類名】明細書
【補正対象項目名】０００９
【補正方法】変更
【補正の内容】
【０００９】
このように構成すると、他の方形板状部材のオス側はぜ部と一の方形板状部材のメス側はぜ部との嵌合接続をワンタッチで行うことができ、嵌合接続後に接続部の加工が必要ないので、効率的に方形板状部材同士の接続を行うことができる。しかも係止部がメス側はぜ部の空間内に密着状態で嵌合するので、両はぜ部の嵌合接続部間にシール材を使用する必要がない。従って、上記オス側はぜ部の上記係止部を上記空間に嵌合挿入すると、上記係止部の内面と外面が上記空間の両内部対向面に密着状態となるため、雨等により方形板状部材上に降り注ぐ水分が、上記空間内に進入することを防止することができる。従って、上記オス側はぜ部と上記メス側はぜ部とを嵌合接続すると、上記抜止部の内面と上記合掌直立部の内面とが密着するため、雨等の水分が上記空間内に進入することを防止することができる。また、上記合掌直立部の外面と上記直立部の外面とが密着するため、仮に雨等の水分が空間内に進入したとしても、上記水分が両はぜ部の接合部（合掌直立部の外面と直立部の外面の接合部）から下方に流出することはない。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
第２に、上記メス側はぜ部の上記空間の上下方向幅は、上記オス側はぜ部の上記係止部の上下方向幅と略同一、又は、上記係止部の上下方向幅より若干長く形成されたものである上記第１に記載の屋根材又は壁材の接続構造により構成される。
【手続補正９】
【補正対象書類名】明細書
【補正対象項目名】００１６
【補正方法】変更
【補正の内容】
【００１６】
第３に、上記オス側はぜ部の上記延出部は、上記方形板状部材の板面の位置より下側に位置するように構成されており、上記延出部の上面側から接続部材により、屋根又は壁の被取付部材に固定するものである上記第１又は２記載の屋根材又は壁材の接続構造により構成される。